(57)【要約】【課題】透視遮蔽用ガラリ装置の従来のガラリ形成片は、細い薄手の素材を用いて形成するため剛性が弱く、ガラリ形成片の横幅の寸法の誤差が微少であっても撓んでしまう。さらに、屋外で使用するの際に、太陽熱や暴風雨によって歪曲してしまう。また、ガラリ形成片の両端をビス止めしているため、組立が煩雑であり手間を要する。【解決手段】ガラリ形成片は、左右方向に伸延する中空パイプ状に形成して、左右一対の支持フレーム間にて下方より上方へ向けて両端部にてスペーサを介して上下重合状態に段積みして固定することによりガラリ本体を形成した。【選択図】　　　　　図１
2004108070.tif 000002
【特許請求の範囲】
【請求項１】
上下方向に伸延する左右一対の支持フレーム間に、左右方向に伸延する多数のガラリ形成片を上下方向に間隔を開けて横架したガラリ本体を具備する透視遮蔽用装置において、
ガラリ形成片は、左右方向に伸延する中空パイプ状に形成して、左右一対の支持フレーム間にて下方より上方へ向けて両端部にてスペーサを介して上下重合状態に段積みして固定することによりガラリ本体を形成したことを特徴とする透視遮蔽用ガラリ装置。
【請求項２】
ガラリ形成片は、上面に嵌合用凸面を形成すると共に、下面に嵌合用凹面を形成し、スペーサの上面にガラリ形成片の嵌合用凹面と嵌合する嵌合凸面を形成すると共に、下面にガラリ形成片の嵌合用凸面と嵌合する嵌合凹面を形成して、ガラリ形成片とスペーサとを下方から上方へ交互に嵌合状態にて段積みして固定し、
上下方向に隣接するガラリ形成片同士の上下間隔は、スペーサの形状と大きさにより規制するようにしたことを特徴とする請求項１記載の透視遮蔽用ガラリ装置。
【請求項３】
上下方向に伸延する左右一対の支持フレームは、それぞれ断面略コ字状に形成して、各支持フレームの上下方向に伸延する開口部を内方に配置して対向状態となし、左右方向に伸延するガラリ形成片の両端部とスペーサとを両開口部を通して支持フレーム内にて上下重合状態に段積みして固定するようにしたことを特徴とする請求項１又は２記載の透視遮蔽用ガラリ装置。
【請求項４】
ガラリ本体は、昇降位置調節自在となしたことを特徴とする請求項１〜３のいずれか１項に記載の透視遮蔽用ガラリ装置。
【発明の詳細な説明】
【０００１】
【発明の属する技術分野】
本発明は、建物のベランダ等に設けた透視遮蔽用ガラリ装置に関する。
【０００２】
【従来の技術】
従来の透視遮蔽用ガラリ装置の一形態として、左右支持フレーム間に左右方向に延伸するガラリ形成片ａを上下方向に間隔を開けて横架したものがあり、図１２に示すように、ガラリ形成片ａは、扁平版状に形成して、左右側端中央部ｂ，ｂを左右支持フレームにビス止めするようにしている（特許文献１参照。）。
【０００３】
【特許文献１】
特開平８−１７７２７４号公報
【０００４】
【発明が解決しようとする課題】
ところが、上記したガラリ形成片ａは、以下のような不具合を有している。
（１）透視遮蔽用ガラリ装置のガラリ形成片ａは、細い薄手の素材を用いて形成するため剛性が弱く、ガラリ形成片ａの横幅の寸法の誤差が微少であっても撓んでしまう。
（２）屋外で使用する際に、太陽熱や暴風雨によって歪曲してしまう。
（３）ガラリ形成片の両端をビス止めしているため、組立が煩雑であり手間を要する。
【０００５】
【課題を解決するための手段】
そこで、本発明では、上下方向に伸延する左右一対の支持フレーム間に、左右方向に伸延する多数のガラリ形成片を上下方向に間隔を開けて横架したガラリ本体を具備する透視遮蔽用装置において、ガラリ形成片は、左右方向に伸延する中空パイプ状に形成して、左右一対の支持フレーム間にて下方より上方へ向けて両端部にてスペーサを介して上下重合状態に段積みして固定することによりガラリ本体を形成したことを特徴とする透視遮蔽用ガラリ装置を提供するものである。
【０００６】
また、本発明は、以下の構成にも特徴を有する。
【０００７】
（１）ガラリ形成片は、上面に嵌合用凸面を形成すると共に、下面に嵌合用凹面を形成し、スペーサの上面にガラリ形成片の嵌合用凹面と嵌合する嵌合凸面を形成すると共に、下面にガラリ形成片の嵌合用凸面と嵌合する嵌合凹面を形成して、ガラリ形成片とスペーサとを下方から上方へ交互に嵌合状態にて段積みして固定し、上下方向に隣接するガラリ形成片同士の上下間隔は、スペーサの形状と大きさにより規制するようにしたこと。
【０００８】
（２）上下方向に伸延する左右一対の支持フレームは、それぞれ断面略コ字状に形成して、各支持フレームの上下方向に伸延する開口部を内方に配置して対向状態となし、左右方向に伸延するガラリ形成片の両端部とスペーサとを両開口部を通して支持フレーム内にて上下重合状態に段積みして固定するようにしたこと。
【０００９】
（３）ガラリ本体は、昇降位置調節自在となしたこと。
【００１０】
【発明の実施の形態】
以下に、本発明の実施の形態について説明する。
【００１１】
すなわち、本発明に係る透視遮蔽用ガラリ装置は、基本的構造として、上下方向に伸延する左右一対の支持フレーム間に、左右方向に伸延する多数のガラリ形成片を上下方向に間隔を開けて横架したガラリ本体を具備している。
【００１２】
そして、特徴的構造として、ガラリ形成片は、左右方向に伸延する中空パイプ状に形成して、左右一対の支持フレーム間にて下方より上方へ向けて両端部にてスペーサを介して上下重合状態に段積みして固定することによりガラリ本体を形成している。
【００１３】
しかも、ガラリ形成片は、上面に嵌合用凸面を形成すると共に、下面に嵌合用凹面を形成し、スペーサの上面にガラリ形成片の嵌合用凹面と嵌合する嵌合凸面を形成すると共に、下面にガラリ形成片の嵌合用凸面と嵌合する嵌合凹面を形成して、ガラリ形成片とスペーサとを下方から上方へ交互に嵌合状態にて段積みして固定し、上下方向に隣接するガラリ形成片同士の上下間隔は、スペーサの形状と大きさにより規制するようにしている。
【００１４】
また、上下方向に伸延する左右一対の支持フレームは、それぞれ断面略コ字状に形成して、各支持フレームの上下方向に伸延する開口部を内方に配置して対向状態となし、左右方向に伸延するガラリ形成片の両端部とスペーサとを両開口部を通して支持フレーム内にて上下重合状態に段積みして固定するようにしている。
【００１５】
【実施例】
以下に、本発明の実施例を、図面を参照しながら説明する。
【００１６】
〔第１実施例〕
本発明に係る第１実施例としての透視遮蔽用ガラリ装置Ａは、図１〜図３に示すように、左右支柱１，１を設置固定器具Ｂ，Ｂを用いてベランダ等の外壁Ｗに固定し、その固定された左右支柱１，１間に昇降自在に介設された昇降ガラリ本体２と、左右支柱１，１間に固定された固定ガラリ本体３との内外側二層構造に構成されている。
【００１７】
そして、透視遮蔽用ガラリ装置Ａは、二層からなるガラリ本体のうち、室内向き側を昇降ガラリ本体２とし、室外向き側を固定ガラリ本体３としている。
【００１８】
次に、ガラリ本体構造について説明する。昇降ガラリ本体２と固定ガラリ本体３は基本的に同一の構成であり、昇降ガラリ本体２について説明すると、次の通りである。
【００１９】
すなわち、昇降ガラリ本体２は、矩形枠体４の左右支持フレーム７，７間に、左右方向に伸延する中空パイプ状のガラリ形成片５を上下方向に一定間隔を開けて多数取り付けて構成している。
【００２０】
ガラリ形成片５は、図３〜図５（ａ）に示すように、ガラリ形成本片５ａを左右方向に伸延する中空パイプ状に形成すると共に、断面形状を略三角状に形成し、ガラリ形成本片５ａの山形斜面状を嵌合用凸面５ａ−１となし、同嵌合用凸面５ａ−１のうち室内側は室外側の傾斜面より、やや下方に伸延した形状とし、ガラリ形成本片５ａの底面を凹状に彎曲した嵌合用凹面５ａ−２となしている。
【００２１】
かかるガラリ形成片５の両端部は、図６に示すように、左右支持フレーム７，７の断面略コ字状の溝部７ａ，７ａ中に嵌入されている。
【００２２】
しかも、かかるガラリ形成片５の両端部は左右支持フレーム７，７中に上下に重合されて嵌入され、しかも、各ガラリ形成片５の両端部の間にはスペーサ６，６を介在させることより、矩形枠体４内において各ガラリ形成片５間にスペーサ６分の間隙を形成している。
【００２３】
また、スペーサ６の形状は、図５（ｃ）に示すように、上端面をガラリ形成片５の嵌合用凹面５ａ−２に沿った凸状彎曲の嵌合用凸面６ａに形成し、下端面をガラリ形成片５の上部山形斜状の嵌合用凸面５ａ−１に沿った山形凹状の嵌合用凹面６ｂに形成し、さらに前面及び後面に左右支持フレーム７，７に嵌合するような突起面６ｃ，６ｄを形成しており、かかるスペーサ６，６は前後突起面６ｃ，６ｄ，６ｃ，６ｄによって左右支持フレーム７，７の断面コ字状の溝部７ａ，７ａ内部に嵌合固定され、さらにガラリ形成片５の両端部と互い違いに重合状態に嵌入されている。
【００２４】
従って、ガラリ形成片５とスペーサ６，６とにより昇降ガラリ本体２を組立てるに際しては、予め矩形枠体４の上側フレーム８を取り外し、左右支持フレーム７，７の断面略コ字状の溝部７ａ，７ａの上端面開口部からガラリ形成片５とスペーサ６，６とを互い違いに嵌入していき、最後に上側フレーム８の断面略キノコ状８ａの頭部を除いた下端部を左右支持フレーム７，７の断面略コ字状の溝部７ａ，７ａに嵌入固定することにより、昇降ガラリ本体２を組立てることができる。
【００２５】
なお、最上段スペーサ１０の上端面は、図５（ｂ）に示すように、平坦な傾斜面１０ａとし、断面キノコ状８ａとした上側フレーム８の平坦な傾斜状の下端面８ａ−１と当接するようにし、また、最下段スペーサ１１の下端面も、図５（ｄ）に示すように、平坦な傾斜面１１ａとし、上側フレーム８と同形状で上下倒置された形状をした下側フレーム９の平坦な傾斜状の上端面９ａ−１と当接するようにしている。
【００２６】
そして、上側フレーム８の平坦な傾斜状の下端面８ａ−１と下側フレーム９平坦な傾斜状の上端面９ａ−１とは、互い平行状態とし、上側フレ−ム８と下側フレーム９は、断面略キノコ状８ａ，９ａの頭部を除いて左右支持フレーム７，７の断面略コ字状の溝部７ａ，７ａに嵌入状態にて固定されている。
【００２７】
つづいて、昇降ガラリ本体２の昇降摺動部の構造について説明する。
【００２８】
かかる昇降ガラリ本体２の矩形枠体４の両外側面には、図６に示すように、ステー１２，１２を介してスライド枠１３，１３が突設されている。
【００２９】
すなわち、スライド枠１３は、断面略Ｃ字状に形成したＣ型チャンネル１３ａとＣ型チャンネル１３ａの両自由端に内方へ向けて突設したスライド突片１３ｂとＣ型チャンネル１３ａの内部中央に軸支したスライド滑車１４とにより構成されている。
【００３０】
このように、左右外側端にスライド枠１３，１３を突設した昇降ガラリ本体２は、図６に示すように、左右支柱１，１間に上下スライド自在に装着されており、かかる左右支柱１，１は、断面略方形状の筒状チャンネル１５，１５と、筒状チャンネル１５，１５の対向面の両端部に一体成形した軸支部１６，１６と、軸支部１６，１６に軸支したガイド滑車１７，１７と、両軸支部１６，１６の外側部に断面略Ｕ字状の彎曲面１８，１８と、筒状チャンネル１５，１５の軸支部１６，１６の一部を形成したガイド突条１６ａ，１６ａとより構成されている。
【００３１】
このように構成された左右支柱１，１のガイド滑車１７，１７には、昇降ガラリ本体２の左右側端に突設したＣ型チャンネル１３ａ，１３ａの両自由端となるスライド突片１３ｂ，１３ｂが当接することによりガイド滑車１７，１７をスライド突片１３ｂ，１３ｂでガイドしており、さらに、両軸支部１６，１６外側部の断面略Ｕ字状に形成した彎曲面１８，１８によって、Ｃ型チャンネル１３ａ，１３ａを支柱１，１から外れにくくしている。また、Ｃ型チャンネル１３ａ，１３ａ内側中央に軸支したスライド滑車１４，１４は、左右支柱１，１の筒状チャンネル１５，１５の対向面側に突設したガイド突条１６ａ，１６ａに摺動自在に当接し、ガイドされるように構成されている。
【００３２】
なお、ガイド突条１６ａ，１６ａは、筒状チャンネル１５，１５に軸支部１６，１６の角部を一部突条に形成してスライド滑車１４，１４に当接するように構成している。
【００３３】
このように昇降ガラリ本体２は、昇降ガラリ本体２の左右側面に突設したＣ型チャンネル１３ａ，１３ａと左右支柱１，１の筒状チャンネル１５，１５とにそれぞれ設けた各滑車１４，１７，１４，１７により左右支柱１，１間において昇降を円滑に行うことができるものである。
【００３４】
かかる昇降ガラリ本体２の昇降構造は次の通りである。すなわち、図７及び図８に示すように、左右支柱１，１の筒状チャンネル１５，１５上端には昇降ローラ１９，１９を軸架し、同昇降ローラ１９，１９にワイヤ２０，２０を懸架し、同ワイヤ２０，２０の一端は昇降ガラリ本体２の左右支持フレーム７，７下部のローラブラケット２１，２１に連設し、他端は支柱１，１下端内底部に固装したコイルバネ２２，２２に連設することとしている。
【００３５】
そして、この昇降構造は図７に示すように、昇降ガラリ本体２が下げている時は、コイルバネ２２，２２が伸び、コイルバネ２２，２２の収縮力で昇降ガラリ本体２の上昇を補助して、昇降ガラリ本体２の上昇をスムーズに行えるようにし、また、図８に示すように、昇降ガラリ本体２が上げている時は、コイルバネ２２，２２が縮み、コイルバネ２２，２２の収縮力で昇降ガラリ本体２の下降を保持し、自然に降下しないようにしている。
【００３６】
また、昇降しない固定ガラリ本体３は、矩形枠体４の左右両側端面を左右それぞれの支柱１，１後面に断面二段鉤型の固定器具２３，２３を介して固設することにより、左右支柱１，１間に固定される。
【００３７】
〔第２実施例〕
次に、第２実施例としての透視遮蔽用ガラリ装置Ａの構成について説明する。
【００３８】
すなわち、第２実施例としての透視遮蔽用ガラリ装置Ａは、図９に示すように、昇降ガラリ本体２を左右支柱１，１間に室外向き側に介設し、固定ガラリ本体３は設置しないようにしている。
【００３９】
そして、かかる透視遮蔽用ガラリ装置Ａにおいて、昇降ガラリ本体２の構造及び昇降構造は第１実施例のそれと同一である。
【００４０】
ここで、第２実施例の昇降摺動部の構造について説明する。第９図に示すように、昇降ガラリ本体２が、左右支柱１，１間の室外向き側に上下スライド自在に装着するようにスライド枠１３，１３を突設しているが、その部分以外の昇降摺動部の構造は、第１実施例と同一である。
【００４１】
このようにして、固定ガラリ本体３は設けることなく、昇降ガラリ本体２だけを設けることにより、透視遮蔽用ガラリ装置Ａの構造を簡易にして、安価なものとすることができる。
【００４２】
〔第３実施例〕
次に、第３実施例としての透視遮蔽用ガラリ装置Ａの構成について説明すると、同透視遮蔽用ガラリ装置Ａは、第１実施例の透視遮蔽用ガラリ装置Ａと基本的構造を同じくしているが、昇降ガラリ本体２を自動的に昇降作動させるようにした点において異なる。
【００４３】
すなわち、図１０及び図１１に示すように、右支柱１の上部に、風の強さ及び明るさ等に反応するセンサー２４を設け、右支柱１下部にはセンサー２４から送られてくる情報を処理する制御盤２５を設け、左右支柱１，１の下部には、制御盤２５より送られてくる指示により可動するモーター２６，２６が設置されている。
【００４４】
また、左右支柱１，１の内側部における昇降摺動部は、第１実施例と同一の構成をしており、さらに、左右支柱１，１内部における昇降構造は、左右支柱１，１の筒状チャンネル１５，１５上端には昇降ローラ１９，１９を軸架し、同昇降ローラ１９，１９にワイヤ２０，２０を懸架し、同ワイヤ２０，２０の一端は昇降ガラリ本体２の左右支持フレーム７，７下部のローラブラケット２１，２１に固定し、他端は摺動自在な略方形状の移動ブラケット３０，３０に連設している。
【００４５】
また、左右支柱１，１の内部上端にそれぞれ上部スプロケット２７，２７を下端部に下部スプロケット２８，２８を軸架し、また、下部スプロケット　２８，２８は左右支柱１，１下部に設置されたモーター２６，２６の出力軸２６ａに連動連結しており、上部スプロケット２７，２７と下部スプロケット２８，２８との間にチェーン２９，２９を券回し、同チェーン２９，２９の一部を移動ブラケット３０，３０に連結している。さらに、該ブラケット３０，３０と左右支柱１，１の下端部との間にはコイルバネ（ａ）２２ａ，２２ａとコイルバネ（ｂ）２２ｂ，２２ｂとの２つのコイルバネを介設している。
【００４６】
すなわち、移動ブラケット３０，３０は、ワイヤ２０，２０、チェーン２９，２９、コイルバネ（ａ）（ｂ）２２ａ，２２ｂ，２２ａ，２２ｂを連設しており、ワイヤ２０，２０、チェーン２９，２９、コイルバネ（ａ）（ｂ）２２ａ，２２ｂ，２２ａ，２２ｂの動作を連動させるように構成している。
【００４７】
また、上記した制御盤２５は、空が明るくなると自動的に昇降ガラリ本体２を上昇させるようにモーター２６，２６を回動させ、暗くなるに伴い自動的に昇降ガラリ本体２を降下させるようにモーター２６，２６を回動させる制御を行っており、また、強風時に昇降ガラリ本体２が上昇していた場合には、自動的に降下させるようにモーターを回動させる制御を行っている。
【００４８】
さらに、リモコンにより、室内から指示情報を送り手軽に昇降させる制御も行うことができる。
【００４９】
このようにして、右支柱１上部に設けたセンサー２４が風力及び明るさを確認し、その情報を制御盤２５が処理し、左右支柱１，１下部に設置したモーター２６，２６を可動させる指示を出す。
【００５０】
そして、モーター２６，２６が回動すると共に、モーター２６，２６に連結している下部スプロケット２８，２８も回転し、チェーン２９，２９が作動する。
【００５１】
さらに、チェーン２９，２９が作動することにより、チェーン２９，２９に連結している移動ブラケット３０，３０を介してワイヤ２０，２０が連動すると共に、同ワイヤ２０，２０に連設しているローラブラケット２１，２１を介して昇降ガラリ本体２が昇降する。
【００５２】
また、移動ブラケット３０，３０とは左右支柱１，１との間にはコイルバネ（ａ）（ｂ）２２ａ，２２ｂ，２２ａ，２２ｂを介設しており、コイルバネ（ａ）（ｂ）２２ａ，２２ｂ，２２ａ，２２ｂの収縮力によって昇降ガラリ本体２の昇降を補助し、出力の小さなモーター２６，２６でも昇降ガラリ本体２をスムーズに昇降させることができる。
【００５３】
【発明の効果】
（１）請求項１記載の本発明では、上下方向に伸延する左右一対の支持フレーム間に、左右方向に伸延する多数のガラリ形成片を上下方向に間隔を開けて横架したガラリ本体を具備する透視遮蔽用装置において、ガラリ形成片は、左右方向に伸延する中空パイプ状に形成して、左右一対の支持フレーム間にて下方より上方へ向けて両端部にてスペーサを介して上下重合状態に段積みして固定することによりガラリ本体を形成している。
【００５４】
このようにして、ガラリ形成片を左右方向に伸延する中空パイプ状に形成しているため、同ガラリ形成片の重量を可及的に軽量化した上で、剛性を確保することができて、組み付け性を良好となすと共に、ガラリ形成片の変形を防止することができる。
【００５５】
（２）請求項２記載の本発明では、ガラリ形成片は、上面に嵌合用凸面を形成すると共に、下面に嵌合用凹面を形成し、スペーサの上面にガラリ形成片の嵌合用凹面と嵌合する嵌合凸面を形成すると共に、下面にガラリ形成片の嵌合用凸面と嵌合する嵌合凹面を形成して、ガラリ形成片とスペーサとを下方から上方へ交互に嵌合状態にて段積みして固定し、上下方向に隣接するガラリ形成片同士の上下間隔は、スペーサの形状と大きさにより規制するようにしている。
【００５６】
このようにして、ガラリ形成片とスペーサとを下方から上方へ交互に嵌合状態にて段積みして固定するようにしているため、同ガラリ形成片の組み付け作業を簡単かつ迅速かつ確実に行うことができる。
【００５７】
しかも、上下方向に隣接するガラリ形成片同士の上下間隔は、スペーサの形状と大きさにより規制するようにしているため、同スペーサの形状と大きさを変更することにより、ガラリ形成片の上下間隔の調整を楽に行うことができて、需要者の好みに簡単に適応させることができる。
【００５８】
（３）請求項３記載の本発明では、上下方向に伸延する左右一対の支持フレームは、それぞれ断面略コ字状に形成して、各支持フレームの上下方向に伸延する開口部を内方に配置して対向状態となし、左右方向に伸延するガラリ形成片の両端部とスペーサとを両開口部を通して支持フレーム内にて上下重合状態に段積みして固定するようにしている。
【００５９】
このようにして、左右方向に伸延するガラリ形成片の両端部とスペーサとを、断面略コ字状に形成した支持フレーム内に開口部を通して収容すると共に、同支持フレーム内にて上下重合状態に段積みして固定するようにしているため、同支持フレームを固定機枠としてガラリ形成片の両端部とスペーサの固定を簡単かつ確実に行うことができる。
【００６０】
（４）請求項４記載の本発明では、ガラリ本体は、昇降位置調節自在となしている。
【００６１】
このようにして、ガラリ本体を所望の高さに昇降位置調節することにより、同ガラリ本体による日除け・目隠し効果を良好に確保することができる。
【００６２】
また、日除け・目隠し効果を必要としない場合には、適宜ガラリ本体を最下降位置まで下降させて収納状態となすことにより、開放空間を形成することもできる。
【図面の簡単な説明】
【図１】本発明に係る第１実施例としての透視遮蔽用ガラリ装置の正面図。
【図２】同透視遮蔽用ガラリ装置の断面図。
【図３】同透視遮蔽用ガラリ装置の側面図。
【図４】本発明のガラリ形成片の断面の形状。
【図５】図３の断面詳細図。
【図６】図２の昇降摺動部の断面詳細図。
【図７】図１の下降時の昇降構造の断面詳細図。
【図８】図１の上昇時の昇降構造の断面詳細図。
【図９】本発明に係る第２実施例としての透視遮蔽用ガラリ装置の昇降摺動部の断面詳細図。
【図１０】本発明に係る第３実施例としての透視遮蔽用ガラリ装置の正面図。
【図１１】第３実施例としての透視遮蔽用ガラリ装置の側面図。
【図１２】従来のガラリ形成片の断面図。
【符号の説明】
Ａ　　透視遮蔽用ガラリ装置
Ｗ　　ベランダ等の外壁
１　支柱
２　昇降ガラリ本体
３　固定ガラリ本体
５　ガラリ形成片
６　スペーサ
７　左右支持フレーム
１２　スライド枠
２２　コイルバネ
２２ａ　　コイルバネ（ａ）
２２ｂ　　コイルバネ（ｂ）
【図１】
2004108070.tif 000003
【図２】
2004108070.tif 000004
【図３】
2004108070.tif 000005
【図４】
2004108070.tif 000006
【図５】
2004108070.tif 000007
【図６】
2004108070.tif 000008
【図７】
2004108070.tif 000009
【図８】
2004108070.tif 000010
【図９】
2004108070.tif 000011
【図１０】
2004108070.tif 000012
【図１１】
2004108070.tif 000013
【図１２】
2004108070.tif 000014